(57)【要約】      （修正有）【課題】平面的にも立体的にも設置空間の制約を解消し、物品が仕分けられた鍔付ケースを仕分け及び段積みしてカゴ台車等の搬出車両に効率的に移載可能な自動ケース移載システム及び移載システムを用いたケース移載方法を提供する。【解決手段】ケース３を搬送させるコンベヤ５の搬送方向と垂直方向にケースを段積するスタッカ１１と、段積みされたケースを押出すプッシャ１２と、段積みされたケースを昇降するリフタ１３と、プッシャで押出された段積みされたケースを収容するカゴ台車１７を繋止するパレットステーション１４とを備える。また、仕分け先情報取得部を備え、これに基づいて所定のケースが所定の向きに載置され、コンベヤを移動してスタッカで所定のケースが段積みされ、リフタで段積みされたケースが所定の位置に移動し、プッシャで段積みされたケースがカゴ台車の所定の位置に移動される。【選択図】図６
2019127347.tif 000002
【特許請求の範囲】
【請求項１】
ケースを搬送させるコンベヤと、
前記コンベヤの搬送方向と垂直方向に前記ケースを段積するスタッカと、
前記ケース又は段積みされたケースを押出すプッシャと、
前記ケース又は前記段積みされたケースを昇降するリフタと、
前記プッシャで押出された前記ケース又は前記段積みされたケースを収容
するカゴ台車を繋止するパレットステーションとを備えていることを特徴とするケース移載システム。
【請求項２】
請求項１に記載のケース移載システムであって、
前記プッシャと前記パレットステーションの間で、前記スタッカと前記リフタとが一体化されていることを特徴とするケース移載システム。
【請求項３】
請求項１に記載のケース移載システムであって、
前記コンベヤに、前記ケースを振分けるトランスファ機構を備えていることを特徴とするケース移載システム。
【請求項４】
請求項１に記載のケース移載システムであって、
前記コンベヤに、方向変換機構を備えていることを特徴とするケース移載システム。
【請求項５】
請求項１に記載のケース移載システムであって、
前記コンベヤに、前記ケースに収容されている物品の高さを判別するケース情報取得部を備えた荷高検査装置を備えていることを特徴とするケース移載システム。
【請求項６】
請求項１に記載のケース移載システムであって、
前記コンベヤが、上下に配設された上段コンベヤと下段コンベヤとを備え、
前記コンベヤに、前記ケースを前記上段コンベヤと前記下段コンベヤとに振分けるトランスファ機構を備え、
前記上段コンベヤ及び前記下段コンベヤのそれぞれ片側に、前記スタッカ、前記プッシャ、前記リフタ、及び、前記パレットステーションが、前記上段コンベヤ及び前記下段コンベヤに並設されていることを特徴とするケース移載システム。
【請求項７】
請求項１に記載のケース移載システムであって、
前記コンベヤが、分岐されて並列する複数のコンベヤを備え、
前記コンベヤに、前記複数のコンベヤに前記ケースを振分ける方向変換機構を備え、
前記複数のコンベヤのそれぞれ片側に、前記プッシャ、前記スタッカ、前記リフタ、及び、前記パレットステーションが、前記複数のコンベヤに並設されていることを特徴とするケース移載システム。
【請求項８】
請求項１に記載のケース移載システムであって、
前記コンベヤに、
前記ケースを振分けるトランスファ機構及び方向変換機構と、
前記ケースに収容されている物品の高さを判別するケース情報取得部を備えた荷高検査装置と、
前記荷高検査装置の情報に基づいて、前記ケースの向きを変換する反転装置と、
前記ケースを一時的に保管するケースバッファと、
前記ケースから取消すべきケースを振分けて搬出するキャンセルステーションとを備えていることを特徴とするケース移載システム。
【請求項９】
請求項１〜８に記載のケース移載システムにおいて、
前記ケースの情報を取得する前記ケース情報取得部及び前記ケースの情報により前記ケース移載システムを駆動するケース移載システム制御部を備え、
前記ケース移載システム制御部に基づいて、所定の前記ケースが、所定の向きに載置され、前記コンベヤ、並びに、前記上段コンベヤ又は前記下段コンベヤを移動し、前記スタッカで所定の前記ケースが段積みされ、前記リフタで前記ケース又は前記段積みされたケースが所定の位置に移動し、前記プッシャで前記ケース又は前記段積みされたケースが前記カゴ台車の所定の位置に移動されることを特徴とするケース移載方法。
【発明の詳細な説明】
【技術分野】
【０００１】
本発明は、物品が収容されているケースを段積みし、ロールボックスパレット（以下、「カゴ台車」という。）等の搬出手段に移載するケース移載システムに関する。特に、本発明は、人が介在することなく、自動的かつ効率的にケースを仕分け、段積み、移載を行うことができるケース移載システムであると共に、占有する容積が極めて小さく、狭い空間に設置できるケース移載システム及びそのシステムを用いたケース移載方法である。
【背景技術】
【０００２】
物品の保管、保管された物品の移動、仕分けされた物品の集荷及び配送等において、物品を一つずつ扱うと作業効率が低下する場合、複数の物品をコンテナやボックス等の各種容器に収容して取り扱われる。容器の形状及び構造は多種多様であるが、最も単純な例としては、図1に示すような鍔付ケースがある。これは、略直方体の場合が多く、上面の開口周辺部に、フォーク等で把持し移載可能とするためのフランジ１１が形成され、底面の周辺部に、上面の開口部と嵌合して安定した段積みができる段差１２が形成されているケースである。しかし、このような鍔付ケース１は、段積みする場合、収容する物品が占有する容積によらず、必ずケースの容積の空間を占有するため、収容する物品が占有する容積によって、段積みしたケースの全高を低減することができるように工夫されている変形鍔付ケース２もある。図２から明らかなように、図１同様、変形鍔付ケース２も略直方体で、フランジ２１が形成されており、上面の開口周辺部には、底面の周辺部と嵌合し安定して段積みできる段差２２（この段差２２は、図１のように鍔付ケースの底の段差１２であっても良い。）が形成されている。この変形鍔付ケース２の特徴は、これらに加え、長側面にケースの容積を損なわない程度の内側に僅かに突出した凹部２３と外側に僅かに突出した凸部２４が形成されていることにある。このような変形鍔付ケース２を段積みする場合、上段には収容されている物品が多いケース２−１を、下段には収容されている物品が少ないケース２−２を配置し、図３（ａ）のように、上下段のケースを同じ方向で段積みすることによって、上下のケースが凸部２４で深く嵌合し、段積みしたケースの全高を低減することができる。この段積み状態をネスティングと呼ぶ場合がある。一方、上下段のケース２−３、２−４共に収容されている物品が多い場合には、図３（ｂ）のように、上下段のケースを１８０度反対方向に段積みし、ケース２−３の底部とケース２−４の段差２２とが浅く嵌合して段積みされる。この段積み状態をスタッキングと呼ぶ場合がある。
【０００３】
そして、このようなケースを使用した物流は、様々な物品を対象として行われている。例えば、商品や郵便物等の物品が区域別に仕分けられたケースを、更に地域別に仕分けて段積みした後、搬出用のカゴ台車等へと移載し、それらをそのままトラック等の運搬車両に積み込んで配送する場合や、食料品や衣料品等の物品が店舗の通路別に仕分けられたケースを更に店舗別に仕分けて段積みした後、搬出用のカゴ台車へと移載し、それらのカゴ台車をそのままトラック等の運搬車両に積み込んで配送する場合等がある。
【０００４】
これらの物流において、保管されている物品を取り出し、区域別や通路別のケースに仕分けする作業は、デジタルピッキングシステム及びデジタルアソートシステムや、シュースライド型自動仕分けシステム等が種々開発され、自動化及び効率化が急速に進められている（例えば、特許文献１及び２）。
【０００５】
一方、区域別や通路別に物品が仕分けられたケースを更に地域別や店舗別に仕分けして搬出用のカゴ台車等へと移載する作業は、略直方体というケースの形状、その形状に伴う段積みされたケースの取り扱い、及び、自動的に駆動する部品を持たない奥行きのあるカゴ台車の組合せに起因する課題があるため、自動化及び効率化が遅れている。例えば、特許文献１のシステムでは、食料品が仕分けられた複数のケースが、更に、店舗及び通路別に仕分けされた所定の棚に保管されるが、この仕分けられたケースは、作業者によって搬出用のカゴ台車に移載されている。
【０００６】
しかし、ケースを扱う物流システムの自動化及び効率化のために、ケースを取扱う数々の技術が開発されてきた。
【０００７】
一般に、物品が仕分けられたケースを格子状の保管庫に収納すると、ケースの入出庫を効率的に行うことができるが、ケースの入出庫に必要な空間も含め、ケースの占有する空間が莫大なものとなるため、段積みされて保管される方が合理的である。また、複数のケースを同時に入出庫することも効率的に行える。しかし、段積みされたケースの中から所望のケースを自動的に取り出すことは困難であった。また、段積みされたケースをそのまま移載することは、移載動作一回当たりの処理量が極めて多く、効率的であるが、ケースの転倒や移載装置の大型化等の問題がある。
【０００８】
これらの問題に対し、特許文献３は、鍔付ケースを把持し伸縮する機能を有するフォーク機構と、鍔付ケースを載置し伸縮する機能を有するベッド機構とが、独立して昇降機構に接続された装置を提案し、段積みされた鍔付ケースから、移載対象となる最上段にない鍔付ケースを自動的に取り出すことを可能にした。また、段積みしたケースをそのまま移載することも可能となった。しかし、このケース移載装置を、物品の入庫から出庫に至る自動倉庫内のシステムに組み込むことは困難である。
【０００９】
この課題に対して、特許文献４及び５には、物品の入庫から出庫に至る自動倉庫内のシステムに組み込むことが可能なケース移載装置が提案されている。
【００１０】
特許文献４には、段ボール箱のような係止機能がない物品の段積みを整列させるコンベヤと、その側面を支える保持機構と、昇降及び進退可能なフォークとを備えた移載装置が開示されている。コンベヤで搬送されてくる段積みされた段ボール箱等が、保持機構で整列された後、保持機構でその側面を支えた状態を保ちフォークに載置され、別のコンベヤから搬送されてきたパレットに移載される装置であり、係止機能がない物品の段積みを転倒することなく移載することができるという特徴がある。しかし、保持機構が必要で、機構が複雑であると共に、カゴ台車に直接移載できないという問題がある。また、保持機構を備えているものの処理速度には限界がある。
【００１１】
特許文献５は、上記問題を解決し得るもので、カゴ台車に鍔付ケースを搬入する装置と、その搬入装置上で鍔付ケースを積み上げる段積み装置と、段積みされた鍔付ケースの最下段の鍔付ケースを把持してカゴ台車に移載する積み付け装置と、積み付け装置にカゴ台車を供給するパレット供給装置からなるケース移載装置を開示している。この装置により、コンベヤから供給される物品が仕分けされた鍔付ケースが段積みされた状態で効率的にカゴ台車に自動的に移載されると共に、更なる鍔付ケースの仕分けも自動的に行うことが可能となった。しかし、鍔付ケースを搬入する装置一台あたりに、一台の段積み装置と積み付け装置しか連設することができないため、ケース処理量が不足する場合がある。
【００１２】
このような段積みしたケースを取扱うケース移載装置の開発が進められる一方で、自動化を優先させたケース移載装置が特許文献２に開示されている。搬送路から供給されるコンテナ等の仕分け対象物を載置して搬送台車の位置まで移動可能な搬送機構と共に、仕分け対象物をカゴ台車に自動的に移載可能な傾斜機構を有している仕分け車両を備えていることを特徴とする仕分けシステムである。コンベヤから供給された物品が仕分けされたケースを仕分け車両に載置し、仕分け車両の搬送路に沿って寄せられた仕分け先のカゴ台車まで移動したところで、仕分け車両に備えられた傾斜機構が作動して、ケースがカゴ台車に自動的に移載されることを特徴としている。確かに、ケースをカゴ台車に自動的に仕分け及び移載することができるが、ケースを一つずつしか移載できない上、カゴ台車にケースを段積みすることができないため、移載処理能力が極めて低いという問題の解決手段とは言い難い。
【００１３】
このような技術背景に対し、特許文献６では、処理能力が飛躍的に向上するケース移載装置が開示されている。これは、鍔付ケースを供給するコンベヤと、鍔付ケースを仕分け及び段積みする段積み装置と、段積みされたケースを移載及び搬送する装置を備えた走行台車と走行レールとから成るケース移載部と、走行台車から段積みされたケースを移載されるカゴ台車の収容部とから構成されている。走行台車の処理能力が高いため、ケース移載部一系列に対し、鍔付ケースを供給するコンベヤ及び収容部を、それぞれ、二系列配備することができ、極めて効率的で、自動化されたケース移載装置を提供している。ただし、このケース移載装置の構成は、段積み装置下部に収容部を設ける必要があり、平面的な装置占有面積の問題はないが、立体的な装置占有空間が大きく、ケース移載装置を設置する建屋の高さに制限があるという問題を有している。
【先行技術文献】
【特許文献】
【００１４】
【特許文献１】特開２００６−１１７３６６号公報
【特許文献２】特開２０１３−０５２９３８号公報
【特許文献３】特開平４−５５２０４号公報
【特許文献４】特開平７−２３６０号公報
【特許文献５】特開平１０−３３８３５０号公報
【特許文献６】特開２０１５−１４０２２３号公報
【発明の概要】
【発明が解決しようとする課題】
【００１５】
本発明は、技術背景に開示されたケース移載装置を鑑み、更に物流システムの設置される空間に順応することが可能で、効率的な自動ケース移載システム及びその移載システムを用いたケース移載方法の提供を目的としている。
【００１６】
具体的には、平面的にも立体的にもケース移載システムの設置される空間の制約を解消し、物品が仕分けられた鍔付ケースを仕分け及び段積みして、カゴ台車等の搬出車両に効率的に移載可能な自動ケース移載システム及びその移載システムを用いたケース移載方法の提供を目的としている。
【課題を解決するための手段】
【００１７】
かかる課題に対し、搬送装置から供給される物品が仕分けされた鍔付ケースを、その搬送装置と垂直方向に移載して段積みし、段積みされた鍔付ケースを昇降させた後、搬出車両へ機械的に水平移動させるシステムを構築することによって目的が達成され得ることを見出し、本発明の完成に至った。
【００１８】
すなわち、本発明のケース移載システムは、物品が仕分けされて収容されているケースを搬送させるコンベヤと、このコンベヤの搬送方向と垂直方向に、そのケースを段積するスタッカと、１段又は段積みされたケースを押出すプッシャと、１段又は段積みされたケースを昇降するリフタと、プッシャで押出された１段又は段積みされたケースを収容するカゴ台車を繋止するパレットステーションとを備えていることを特徴とするケース移載システムである。
【００１９】
特にこれらの各装置の配置は限定されるものではないが、本発明のケース移載システムは、物品が仕分けされて収容されているケースを搬送させるコンベヤと、このコンベヤの搬送方向と垂直方向に、そのケースを段積するスタッカと、１段又は段積みされたケースを押出すプッシャと、１段又は段積みされたケースを昇降するリフタと、プッシャで押出された１段又は段積みされたケースを収容するカゴ台車を繋止するパレットステーションとが、コンベヤからこれらの順に並設されていることが好ましい。
【００２０】
また、このようなケース移載システムは、並列に配設することができ、物品が仕分けされて収容されるケースの供給元が一か所であっても、複数であってもよい。しかし、効率的な物流システムという観点から、上記ケース移載システムが並列して配設される場合、ケース供給元が一か所で、コンベヤが分岐され、その搬送方向と垂直方向に、そのケースを段積するスタッカと、段積みされたケースを押出すプッシャと、段積みされたケースを昇降するリフタと、プッシャで押出された段積みされたケースを収容するカゴ台車を繋止するパレットステーションとが、コンベヤからこれらの順に並設されていることが好ましい。
【００２１】
ケースは、段積み可能な構造のものであれば、特に限定されるものではないが、図１及び２に示したような鍔付ケースが、フランジを利用した段積が容易であるため好ましい。特に、ケースの収納する物品の容積に応じて段積みの全高を低減可能な図２に示した変形鍔付けケースが好ましい。このような高さが揃った鍔付ケースを用いる以外に、収納する物品の容積に応じて、高さが所定のもの（フルケース）及びその略半分の高さのもの（ハーフケース）を併用することができる。更に、ケースの高さは、フル、ハーフに限定されるものではなく、３種以上の所定の高さのものを用いてもよい。
【００２２】
コンベヤは、ベルトコンベヤ、ローラコンベヤ、チェーンコンベヤ等一般的なコンベヤを用いることができるが、一時貯留機構（アキュムレーションコンベア）、速度制御機構、正逆搬送機構、及び、停止機構の少なくとも一つ以上の機構を有し、所定の箇所に方向変換機構を備えられている必要がある。方向変換機構とは、物品の分岐及び合流する機能を発現できる各種機構を備えたものであり、コンベヤに昇降式及び／又は回転式のローラやベルト等の方向変換させる機能部品を備えた装置、コンベヤ自体が回転する機能部品を備えた装置、コンベヤの側面に物品等の方向変換させる機能部品を備えた装置等、搬送装置で分岐搬送可能な一般的な装置を全て使用することが可能である。特に、コンベヤに昇降式ローラやベルトの方向変換機能部品を備え、直角に分岐可能な搬送装置を備えられていることが好ましい。
【００２３】
スタッカは、ケースを保持、把持、挟持、吸着、握着等の方法で着脱可能で、昇降させることによって段積みできる装置であれば特に限定されるものではない。特に、上下に移動可能な昇降アームに複数備えられた傾動フック等によって、鍔付ケース１及び２のフランジ１１及び２２を保持し、昇降アームを上下させることによってケースを段積する装置が好ましい。昇降アームの昇降方式も、ロープ式、油圧式、電動式等一般的な方式を用いることができ、特に限定されるものではない。
【００２４】
プッシャは、昇降機に備えられた直線作動機によって１段又は段積みされたケースを、少なくとも対象となるカゴ台車の全ての棚に水平移動させることができる装置であれば特に限定されるものではなく、一般的な装置を組み合わせて使用することができる。昇降機の昇降方式は、スタッカ同様、ロープ式、油圧式、電動式等一般的な方式を用いることができ、特に限定されるものではない。一方、直線作動機は、ボールネジや台形ネジとギヤモータを組み合わせた電動のシリンダ、リフタ、及び、ジャッキ等や、チェーンがジッパーのように噛み合い、1本の強固な柱状になって押し・引きができるチェーンの噛み合いを使用したジップチェーンアクチュエータ等が好ましく用いられる。また、プッシャは、上下方向に加え、コンベヤの搬送方向に水平方向に移動が可能なロボシリンダ等の直線作動機も備えていることが好ましい。このようなプッシャの上下移動及び水平移動は、カゴ台車の所定の位置にケースを仕分けするために必要な機能である。
【００２５】
リフタは、１段又は段積みされたケースを載置することができる搬送台を備えた昇降機に、コンベヤの搬送方向に水平移動が可能なロボシリンダ等の直線作動機を備えている、一般的な装置を組み合わせて使用することができる。昇降機は、ロープ式、油圧式、電動式等に加え、電動のシリンダ、リフタ、及び、ジャッキ等の直線作動機を利用することもできる。
【００２６】
パレットステーションは、カゴ台車を繋止して、リフタに載置されている１段又は段積みされたケースがプッシャで押されて収容するための装置である。そのため、カゴ台車は１段又は段積みされたケースが安定して移載できる程度に固定されている必要があり、カゴ台車の向きを変換するターンディスク、並びに、セット釦で作動してカゴ台車上面を固定する転倒防止ストッパ、及び、セット釦で作動してカゴ台車下面を固定するプッシャを備えていることが好ましい。また、パレットステーションには、カゴ台車が正確に投入されるため、対象となるカゴ台車を表示するディスプレイが備えられていることがより好ましい。
【００２７】
更に、本発明のケース移載システムは、その占有面積を削減するために、プッシャとパレットステーションの間で、スタッカとリフタとを一体化することが好ましい。
【００２８】
同様の目的で、本発明のケース移載システムにおける物品の流れの中心となるコンベヤの配置に応じ、１段又は段積されたケースを自在に振り分けることが可能なトランスファ機構及び方向変換機構を備えていることが好ましい。
【００２９】
一方、段積みされたケースの容積を削減したり、段積されたケースの組合せを最適化し、効率的な物流を実現するため、物品の高さを判別するケース情報取得部を備えた荷高検査装置を備えていることがより好ましい。
【００３０】
具体的には、１段又は段積されたケースを搬送するコンベヤが、上下に配設された上段コンベヤと下段コンベヤとし、上段コンベヤと下段コンベヤとにこれらのケースを振分けるトランスファ機構を備え、上段コンベヤ及び下段コンベヤのそれぞれ片側に、スタッカ、プッシャ、リフタ、及び、パレットステーションが、上段コンベヤ及び下段コンベヤに並設されることが好ましい。特に、スタッカ、プッシャ、リフタ、及び、パレットステーションを、上段コンベヤ及び下段コンベヤの片側にこれらの順に並設することがより好ましく、プッシャとパレットステーションの間で、スタッカとリフタとを一体化することがより更に好ましい。
【００３１】
当然、上述したスタッカとリフタの一体化とコンベヤの階層化とを併用することによって、ケース移載システムの占有面積の更なる削減が可能となる。
【００３２】
或いは、１段又は段積されたケースを搬送するコンベヤが、分岐されて並列する複数のコンベヤとし、複数のコンベヤにこれらのケースを振分ける方向変換機構を備え、複数のコンベヤのそれぞれ片側に、プッシャ、スタッカ、リフタ、及び、パレットステーションが、複数のコンベヤに並設されることが好ましい。特に、スタッカ、プッシャ、リフタ、及び、パレットステーションを、複数のコンベヤの片側にこれらの順に並設することがより好ましく、プッシャとパレットステーションの間で、スタッカとリフタとを一体化することがより更に好ましい。
【００３３】
この場合、スタッカとリフタの一体化によるケース移載システムの占有面積の削減に加え、ケース移載システムの配備する建屋の高さに制限がある場合に、処理能力を低下させることなく設計することが可能となる。
【００３４】
このようなケース移載システムにおいて、ケースは、所定の位置でスタッカに移載されるため、スタッカに隣接するコンベヤ、並びに、上段コンベヤ及び下段コンベヤに方向変換機構を備え、スタッカ及びリフタがケース又は段積みされたケースを載せて自動的に移動させることが可能な載置搬送コンベヤを備えていることが好ましい。このような設備によって、ケース又は段積みされたケースをコンベヤから、スタッカ、リフタを経由して、プッシャにより所定のカゴ台車の所定の位置に、遅滞なく円滑な移載が可能となる。
【００３５】
また、本発明のケース移載システムにおいて、ケース情報表示部がケースに備えられており、ケースに収容されている物品の高さを判別するケース情報取得部を備えた荷高検査装置と、荷高検査装置の情報に基づいて、ケースの向きを変換する反転装置と、ケースを一時的に保管するケースバッファとを備えていることがより好ましい。このような構成とすることにより、図２に示した変形鍔付ケースに収容されている物品の容積が小さい場合は、荷高検査装置の情報に基づいて、反転装置で変形鍔付ケースの向きを変えることなく、図２（ａ）に示したネスティングの段積を実行させ、逆に、物品の容積が大きい場合は、荷高検査装置の情報に基づいて、反転装置が変形鍔付ケースの向きを１８０度反転させることによって、図２（ｂ）に示したスタッキングの段積を実行させることができる。当然、荷高検査装置は物品容積の大小どちらにでも設定が可能である。そのため、段積みされる全高を低減することができ、取扱うことができるケースの数量が多くなり、効率的なケースの移載、すなわち、物流効率を高めることが可能となる。更に、荷高検査装置は、ネスティングしたケース、スタッキングしたケース、通常のケース、及び、通常の段積したケース等を、状況に応じて一時的に保管する指示をし、ケース移載システムのコンベヤの流れをよりスムーズにすることができる。
【００３６】
このような荷高検査装置の検査方法は特に限定されないが、光学的又は磁気的反射センサや検査板をケースに挿入するような物理的センサによって物品の収容量を自動的に検出する方法が好ましい。
【００３７】
一方、ケース情報取得部により収集された情報は、ケース移載システム制御部に送信され、その制御部の指示に従ってケース移載システムが駆動する。すなわち、ケース物品が仕分けされて収納されているケースが更に段積みされ、カゴ台車の所定の位置に移載されて効率的に出荷される。具体的には、例えば、商品や郵便物等の物品が区域別に仕分けられたケースを、更に地域別に仕分けて段積みした後、搬出用のカゴ台車型パレット等へと移載し、それらのカゴ台車をそのままトラック等の運搬車両に積み込んで配送したり、食料品や衣料品等の物品が店舗の通路別に仕分けられたケースを更に店舗別に仕分けて段積みした後、搬出用のカゴ台車へと移載し、それらのカゴ台車をそのままトラック等の運搬車両に積み込んで配送することができる。なお、ケース情報取得部は、一般的な識別子であるバーコード、ＱＲコード（登録商標）、ＡＲマーカー、ＯＣＲ文字等を用いることができるが、バーコードであることが好ましく、ケース情報取得部はバーコードリーダ（ＢＣＲ）であることが好ましい。
【００３８】
ケースバッファも、効率的なケースの移載を行うために備えることが好ましい。これは、荷高検査装置を備えると、ケースに収容されている物品の容積が把握されるため、物品の容積が少ないケースをケースバッファに一時保管しておけば、適宜ケースバッファからケースをコンベヤに戻してネスティングの段積ケースを増加させることが可能となるからである。また、ケースとして、所定高さのフルケース、その半分程度の高さのハーフケースを使用する場合があり、この場合には、ケース情報から、ハーフケースをケースバッファに一時保管しておけば、適宜ケースバッファからハーフケースをコンベヤにして、ハーフケース同士の段積をさせることによって、取扱うことができるケースの数量が多くなり、効率的なケースの移載、すなわち、物流効率を高めることが可能となる。
【００３９】
また、本発明のケース移載システムには、取消すべきケースを振分けて搬出するキャンセルステーションを備えていることが好ましい。このキャンセルステーションによって、ケース情報が読み取れない等の理由で仕分けできないケースについて、自動的にケース移載システムの前工程に返送し、ケース情報を再貼付する等して、ケース移載システムに再投入することが可能となる。このことにより、それ以後は通常の処理を続行することができ、人手による処理を極力省くことができる。
【００４０】
以上のようなケース移載システムは、ケースの情報を取得するケース情報取得部及びケース情報によりケース移載システムを駆動するケース移載システム制御部に基づいて、所定のケースが、所定の向きに載置され、コンベヤ、又は、上段コンベヤ及び下段コンベヤを移動し、スタッカで所定のケースが段積みされた後、１段又は段積されたケースがリフタに移載され、リフタで１段又は段積みされたケースが所定の位置に移動し、リフタに伴って所定の位置に移動したプッシャで１段又は段積みされたケースが所定のカゴ台車の所定の位置に移動するケース移載方法を提供することができる。
【発明の効果】
【００４１】
本発明に係るケース移載システム及びケース移載方法は、コンベヤ等の小型搬送装置から供給される物品が仕分けされた鍔付ケースを、その搬送装置の方向変換機構により、垂直方向にスタッカに移載して段積みし、段積みされた鍔付ケースをリフタで昇降させた後、カゴ台車等の搬出車両へプッシャで機械的に水平移動させるシステムである。そのため、ケース移載能力を低下させることなく、平面的にも立体的にもケース移載システムの設置される空間の制約を解消することができるという効果を得ることができた。また、人手を介することなく、ケースを段積し、段積されたケースをカゴ台車等の搬出車両に自動的に移載することができ、省力効果が大きく、かつ、小規模で多量のケースの処理が可能となり、経済的効果も大きい。
【図面の簡単な説明】
【００４２】
【図１】一般的な鍔付ケースの斜視図である。
【図２】ケースに収納する物品の数量に応じて段積み全高を調整可能な代表的変形鍔付ケースの斜視図である。
【図３】図２の変形鍔付ケースを用いた、（ａ）物品の数量が少ない場合の段積み状態（ネスティング）と（ｂ）物品の数量が通常の場合の段積み状態（スタッキング）とを示す短側面方向から見た側面概略図である。
【図４】本発明の一実施形態に係るケース移載システム全体の平面概略図である。
【図５】図４のケース移載装置部Ｉを拡大した概略平面図である。
【図６】図４の切断線Ａ周辺で紙面に垂直に切断した断面概略図である。
【図７】図５のパレットステーションからみたケース移載装置部Ｉの正面概略図である。
【図８】図６のケースプッシャ部ＩＩを拡大した正面概略図である。
【図９】図８の切断線Ｂ周辺で紙面に垂直に切断した断面概略図である。
【図１０】本発明のケース移載システムに用いることが可能な代表的なカゴ台車の（ａ）正面概略図及び（ｂ）側面概略図である。
【図１１】本発明の別の一実施形態に係るケース移載システム全体の平面概略図である。
【図１２】図１１の切断線Ｃ周辺で紙面に垂直に切断した断面概略図である。
【発明を実施するための形態】
【００４３】
以下、本発明を、図面に示した一実施形態を用いて説明するが、本発明は、これらに限定されるものではなく、本発明の主旨を逸脱しない範囲内で種々変更して実施することが可能であり、特許請求の範囲に記載した技術思想によってのみ限定されるものである。そのため、本発明に該当する部分を概念的及び模式的に説明することとし、説明を省略する箇所については公知技術によるものとする。
【００４４】
図４には、本発明の一実施形態に係るケース移載システム全体の平面概略図を示した。図５は、図４のケース移載装置部Ｉを拡大した概略平面図であり、図６は、図４の切断線Ａ周辺で紙面に垂直に切断した断面概略図である。図７は、図５のパレットステーション１４からみたケース移載装置部Ｉの正面概略図であり、図８は、図６のケースプッシャ部ＩＩを拡大した正面概略図である。そして、図９は、図８の切断線Ｂ周辺で紙面に垂直に切断した断面概略図を示している。また、本発明のケース移載システムに用いることが可能な代表的なカゴ台車１７については、図１０に（ａ）正面概略図及び（ｂ）側面概略図を示した。
【００４５】
図４から分かるように、この一実施形態では、ケースエレベータ４、２系列に分岐したコンベヤ５、ＢＣＲを備えた荷高検査装置６、ケースバッファ９、ケース反転装置１０、ケーススタッカ１１、ケースプッシャ１２、ケースリフタ１３、及び、パレットステーション１４から少なくとも構成されている。以下、この実施例における構成装置を図４〜図９を用いてそれぞれ説明する。
【００４６】
ケースエレベータ４は、（図示されていない）コンベヤ等の搬送装置を経由して本ケース移載システムで仕分けされるケース３を集約してケース移載システムに上昇又は降下して供給するが、この方式に限定されるものではない。ケース移載システムの処理能力、及び、本ケース移載システムの前工程の配置や処理能力等に応じて適宜設定されるものである。
【００４７】
物品が仕分けされ収納されたケース３は、図２に示すように、略直方体で上方が開放されており、また、各側面の上方近くには、フォークや爪等による移送や保持を可能とするための鍔１２が付いており、長側面に、内側に僅かに突出した凹部２３と外側に僅かに突出した凸部２４とが交互に形成されているものを使用する。図３（ａ）及び（ｂ）に示すように、ケース３に収納される物品の容積に応じて段積する方向を１８０度反転させ、段積み高さを調整することができる。特に、下段の物品の容積が小さい場合は、下段の外側凸部と上段の内側凹部とが嵌合するネスティングと呼ばれる段積を行い、ケース３の処理量を高めることができる。下段の物品の容積が大きい場合は、ネスティングの上段のケース３を反転させ、下段の外側凸部と上段の外側凸部とが当接し、段差２２だけによって嵌合するスタッキングと呼ばれる段積を行う。
【００４８】
図４に示すように、ケースエレベータ４から供給されたケース３は、ケース移載システム内をケースコンベヤ５によって搬送される。本実施形態では、ケースコンベヤ５を２系列平行に配備し、それぞれのコンベヤ５の搬送方向の垂直方向にケーススタッカ１１、ケースプッシャ１２、ケースリフタ１３、及び、パレットステーション１４を並設している。ケースコンベヤ５としては、多数のローラからなるローラコンベヤが用いられており、ケース３がケース移載システム内を自在に搬送されうるために、ケース３の移載方向を９０度変換する所定の位置のコンベヤは、直角分岐コンベヤ７とし、その他必要に応じて、ケースコンベヤ５の各所に、（図示されていない）一時貯留機構、速度制御機構、正逆搬送機構、及び、停止機構等が設けられている。また、ケース移載システムを点検するための点検歩廊１５がケースコンベヤ５に隣接して配備されている。
【００４９】
ケース情報取得部として（図示されていない）ＢＣＲを備えた荷高検査装置６は、ケースコンベア５上を搬送されるケース３に貼付されているバーコードを自動的に読み取ると共に、ケース３に収容されている物品の高さを測定する。
【００５０】
ＢＣＲで読み取られたケース情報は、後続するケーススタッカ１１、ケースプッシャ１２、ケースリフタ１３を用いて、カゴ台車の所定の位置に所定数のケースを仕分けするために、ケース移載システムを構成する各装置を制御するケース移載システム制御部に送信され、ケース移載システムが正しく駆動される。
【００５１】
荷高検査装置６は、検査板をケース３に挿入して物品の収容量を読みとり、その取られた情報も、同様に、ケース移載システム制御部を介して、ケース反転装置１０を駆動し、上述したように、ケース３に収納されている物品の収容量に応じて、ネスティング又はスタッキングの段積を行う。ここで、ネスティングの段積を連続的に行う等によってケース３の処理量を高めるため、収容されている物品の容積が小さいケース３は、そのまま又は段積してケースバッファ９に一時保管する指示が出される場合がある。
【００５２】
一方、例えば、ＢＣＲで読み取ることができないバーコードが添付されたケース３は、直角分岐コンベヤ７を経由して、キャンセルシュート８と呼ばれるコンベヤからケース移載システムの前工程に返送され、バーコードを再貼付して、ケース移載システムに再投入される。
【００５３】
図５〜７に示すように、ケーススタッカ１１は、コンベヤ５の搬送方向の直角方向に並設されると共に、直角分岐コンベヤ７がケーススタッカ１１に隣接してコンベヤ５に配備され、ケース３がケーススタッカ１１に自動的に供給される。また、ケーススタッカ１１も、段積みされたケース３−１、３−２、及び、３−３がケースリフタ１３に自動的に供給されるように、駆動する物品載置コンベヤ１１１上で段積みされる。供給されたケース３の段積は、上下に移動可能なロープ式昇降アームに複数備えられた傾動フックでケース３のフランジを保持し、ケース移載システム制御部の指示に従った昇降アームの上下移動によって適切に行われる。
【００５４】
ケースリフタ１３は、ケーススタッカ１１で段積みされたケース３−１、３−２、及び、３−３が自動的に供給される位置に並設されると共に、ケースプッシャ１２は、ケーススタッカ１１とケースリフタ１３との間に並設され、ケースリフタ１３の段積みされたケース３−１、３−２、及び、３−３が、ケースプッシャ１２で押し出されてパレットステーション１４に繋止されたカゴ台車１７に移載されるように配備されている。ケースリフタ１３も、段積みされたケース３−１、３−２、及び、３−３がカゴ台車１７に自動的に移載されるように、物品載置コンベヤ１３１が備えられている。
【００５５】
図７〜９から分かるように、ケースリフタ１３及びケースプッシャ１２は、それぞれ異なるロープ式昇降アームによって独立して上下移動すると共に、パレットステーション１４に繋止されるカゴ台車１７の間口を水平移動できるようにリフタ及びケースプッシャ移動ロボシリンダ１６が設置され、ケース移載システム制御部の指示に従って駆動する。特に、ケースプッシャ１２は、図８に示すように、ジップチェーンアクチュエータ１２−１が、プッシャリフタ１２−２によって昇降されている。このようなケース移載システムにすることによって、平面的及び立体的な空間を多大に占有することなく、ケーススタッカ１１で段積して仕分けられたケース３−１、３−２、及び、３−３が、カゴ台車１７の所定の位置に効率的に供給され仕分けされる。
【００５６】
一方、段積みされたケース３−１、３−２、及び、３−３が、カゴ台車１７に安定して移載されるように、パレットステーション１４がケースリフタ１３に並設される。そのため、図５に示すように、このパレットステーション１４の床面に、図１０のカゴ台車１７のキャスタ１７６が挿入され、自在キャスタ１７５がターンディスクの反対側に来るようにカゴ台車１７をセットできるターンディスク１４１を埋め込んでおく（ただし、カゴ台車１７のキャスタ１７６を自在キャスタとすればターンディスク１４１を代用できる）。このターンディスク１４１は、キャスタ１７６が挿入され、これを起点にかご台車１７を９０度回転することによって、カゴ台車１７のケースを出し入れする間口がケースリフタ１３と対面するように備え付けられる。そして、カゴ台車１７に段積みされたケースを安定して移載できる程度に固定されるように、セット釦１４４を押すことによって作動する転倒防止ストッパ１４３及び（図示されていない）カゴ台車１７の下面に付いているロールピンを受ける受台が備えられている。また、パレットステーション１４に投入されるべきカゴ台車１７は、ＢＣＲ情報が送信されたケース移載システム制御部の指示に基づいた対象パレット表示ランプ１４５の点灯によって表示される。
【００５７】
収集されたＢＣＲ情報が集約される（図示されていない）ケース移載システム制御部は、コンピュータ、サーバ、ＰＣ等を備えてなり、表示部、操作部、記憶部などの周辺機器を含んでいる。ケース移載システムを構成する各装置と、有線、無線、インターネット等を介して接続し、ケース情報に基づいて各装置に指示を与え駆動させることができる。このような制御部は、ケース移載システムの各装置と近接して配備してもよいし、クラウドコンピューティングのように遠隔して配備してもよい。
【００５８】
更に、上記本発明の一実施形態のケース移載システムは、それを用いたケース移載方法を提供する。上記本発明の一実施形態のケース移載システムの動作の一例により、本発明のケース移載方法を説明する。ケースエレベータ４から供給されたケース３は、コンベヤ５を経由してＢＣＲを備えた荷高検査装置６に搬送される。搬送されてきたケース３に検査板を挿入して、収集されたケース３内の物品の収容量と共に、ＢＣＲによって収集された情報（以下、「ＢＣＲ情報」という。）がケース移載システム制御部に送信され、その結果に対応してケース移載システムを構成する各装置が駆動する。
【００５９】
まず、荷高検査装置６から送信された情報に基づいて、ケース反転装置１０によりケース３の向きが１８０度変更され、ケーススタッカ１１における段積の状態（ネスティング又はスタッキング）が決定される。また、ネスティングの段積が連続するようにケースバッファ９に一時保管する場合もある。
【００６０】
また、ケース移載システム制御部に送信されたＢＣＲ情報に基づいて、これ以降のケース移載システムの下流装置が駆動されるが、ＢＣＲによって読み取れないケースは、キャンセルシュート８を経由して、ケース移載システムの前工程に返送される。
【００６１】
次いで、パレットステーション１４では、ＢＣＲ情報に基づいてカゴ台車１７が固定され、ケース移載システム制御部の指示に従って対象パレット表示ランプ１４５が点灯し、対象となるカゴ台車１７が投入される。パレットステーション１４の床面に埋め込まれたターンディスク１４１（上述したように位置決めがされれば自在キャスタでも代用できる）に、カゴ台車１７のキャスタ１７６が挿入されると、このターンディスク１４１を起点にしてカゴ台車１７のケースを出し入れする間口がケースリフタ１３と対面するように９０度回転した後、セット釦１４４を押すと、転倒防止ストッパ１４３及び（図示されていない）カゴ台車１７の下面を押す固定ピンが作動してカゴ台車１７が固定される。
【００６２】
一方、ケース反転装置１０を経由したケース３は、ＢＣＲ情報に基づいたケース移載システム制御部の指示に従って、ケース３が移載されるべきカゴ台車１７が備え付けられたパレットステーション１４の位置に並設されているケーススタッカ１１、ケースプッシャ１２、ケースリフタ１３まで、コンベヤ５で搬送される。そこには、直角分岐コンベヤ７が配設されており、ケース３がケーススタッカ１１に移載され、ＢＣＲ情報に基づいたケース移載システム制御部の指示に従って段積される。段積みされたケース３−１、３−２、及び、３−３は、ケーススタッカに備えられた駆動可能な物品載置コンベヤ１１１によってケースリフタ１３に移載される。
【００６３】
このようにして移載された段積ケース３−１、３−２、及び、３−３が移載されるべきカゴ台車１７の対象となる棚（パレット）は、図１０から分かるように、底板１７１及び中間棚１７２によって少なくとも８箇所に間仕切ることができるが、必ずしも限定されるものではない。どのように間仕切るか、どの段積ケースをどの棚に移載するかは、ＢＣＲ情報に基づいて決定され、特に、段積ケースの移載については、ケース移載システム制御部の指示に従って作動するケースリフタ１３の上下方向及び水平方向の移動、それに伴うケースプッシャ１２の上下方向及び水平方向の移動によって適切に決定される。そして、例えば、ジップチェーンアクチュエータ１２−１が、カゴ台車１７に正確に移載できるように段積ケース３−１、３−２、及び、３−３を適切な位置に揃え、ケースリフタ１３に備えられた物品載置搬送台１３１上の段積ケース３−１、３−２、及び、３−３をカゴ台車１７の選択された棚に押し込んで動作が完了する。ケースの段積みに際しては段積みされたケースの重心が極力低くなるよう配置するのが好ましい。
【００６４】
このような一連の動作が完了すると、仕分けされた段積ケース３−１、３−２、及び、３−３が、更に仕分けされてカゴ台車１７に収容されているので、固定されているかご台車１７は解放された後、そのままトラック等の運搬車両に移動されて出荷される場合もあるが、トラック等の運搬車両に段積みされたケース３−１、３−２、及び、３−３を更に移載して出荷される場合もある。
【００６５】
本発明の別の一実施形態は、ケース３を搬送するコンベヤ５の配設方法を工夫することによって見出されたものであって、図１１及び図１２に示す。図１１は、本発明の別の一実施形態に係るケース移載システム全体の平面概略図であり、図１２は、図１１の切断線Ｃ周辺で紙面に垂直に切断した断面概略図である。
【００６６】
図１１及び１２から明らかなように、上記本発明の一実施形態と基本的な構成に変わりはないが、ＢＣＲを備えた荷高検査装置６の下流装置として、ケース３を搬送するコンベヤ５を上下段に配備し、その両側にケーススタッカ１１、ケースプッシャ１２、ケースリフタ１３、及び、パレットステーション１４が、コンベヤ５からこの順に並設されていることを特徴とするものである。
【００６７】
コンベヤ５を上下段に配設することによって、ケース移載システムの処理能力を低下することなく、更にケース移載システムの平面的占有面積を削減することができる。この場合も、図示されていないが、ケーススタッカ１１とケースリフタを一体化することが可能であり、ケース移載システムの平面的占有面積をより更に削減することができる。
【００６８】
ただし、この場合は、図１１に示したように、昇降式トランスファ１８を設置し、ケース３を上下段コンベヤに振分ける装置を必要とする。その他のケース移載システムを構成する各装置の機能及び動作等については、図４〜９に示した実施形態と何ら変わりないので、説明を省略する。
【産業上の利用可能性】
【００６９】
本発明に係るケース移載システム及びケース移載方法は、物品が仕分けされたケースを更に仕分けして搬出するために、コンベヤ等の小型搬送装置から供給される物品が仕分けされたケースを、その搬送装置の方向変換機構により、垂直方向にスタッカに移載して段積みし、段積みされたケースをリフタで昇降させた後、カゴ台車等の搬出車両へプッシャで機械的に水平移動させるシステムとしているが、ケースに限定することなく、種々の物品や容器を対象とする仕分け装置として幅広く利用することができる。
【符号の説明】
【００７０】
１  鍔付ケース
１１  フランジ
１２  段差
２  変形鍔付ケース
２１  フランジ
２２  段差
２３  内側凹部
２４  外側凸部
３  物品収納変形鍔付ケース
３−１  段積みされた物品収納変形鍔付ケース（１）
３−２  段積みされた物品収納変形鍔付ケース（２）
３−３  段積みされた物品収納変形鍔付ケース（３）
３−４  段積みされた物品収納変形鍔付ケース（４）
３−５  段積みされた物品収納変形鍔付ケース（４）
４  ケースエレベータ
５  ケースコンベヤ
６  バーコードリーダ（ＢＣＲ）を備えた荷高検査装置
７  直角分岐コンベヤ
８  キャンセルシュート
９  ケースバッファ
１０  ケース反転装置
１１  ケーススタッカ
１１１  スタッカ用物品載置コンベヤ
１２  ケースプッシャ
１２−１  ジップチェーンアクチュエータ
１２−２  プッシャリフタ
１３  ケースリフタ
１３１  リフタ用物品載置コンベヤ  
１４  パレットステーション
１４１  ターンディスク
１４２  パレット固定ロボシリンダ
１４３  転倒防止ストッパ
１４４  セット釦
１４５  対象パレット表示ランプ
１５  点検歩廊
１６  リフタ及びケースプッシャ移動ロボシリンダ
１７  ロールボックスパレット（カゴ台車）
１７１  底板
１７２  中間棚
１７３  バックパネル
１７４  サイドパネル
１７５  自在キャスタ
１７６  キャスタ
１７７  パネルジョイントヒンジ
１８  昇降式トランスファ
Ｉ  ケース移載装置部
ＩＩ  ケースプッシャ部
Ａ、Ｂ、Ｃ  切断線
【図１】
2019127347.tif 000003
【図２】
2019127347.tif 000004
【図３】
2019127347.tif 000005
【図４】
2019127347.tif 000006
【図５】
2019127347.tif 000007
【図６】
2019127347.tif 000008
【図７】
2019127347.tif 000009
【図８】
2019127347.tif 000010
【図９】
2019127347.tif 000011
【図１０】
2019127347.tif 000012
【図１１】
2019127347.tif 000013
【図１２】
2019127347.tif 000014